(57)【特許請求の範囲】
【請求項１】
入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置であって、前記添削例文提示手段から提示される添削例文に応じた前記作成文章の訂正作業における訂正前後の文章を抽出しかつ当該訂正前後の文章を新規の添削例文として前記添削例文格納手段に蓄積する添削例文抽出・蓄積手段を有することを特徴とする文書添削支援装置。
【請求項２】
前記作成文書の作成作業において予め設定された一定量の文章が入力された時点で入力文字列を切出して前記添削例文検索手段に逐次送出する入力文字列抽出手段を含み、前記添削例文検索手段が前記入力文字列抽出手段からの前記入力文字列を基に前記添削例文格納手段に格納された添削例文を検索するよう構成したことを特徴とする請求項１記載の文書添削支援装置。
【請求項３】
入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置の文書添削支援方法であって、前記添削例文提示手段から提示される添削例文に応じた前記作成文章の訂正作業における訂正前後の文章を抽出しかつ当該訂正前後の文章を新規の添削例文として前記添削例文格納手段に蓄積するようにしたことを特徴とする文書添削支援方法。
【請求項４】
前記作成文書の作成作業において予め設定された一定量の文章が入力された時点で入力文字列を切出して前記添削例文検索手段に逐次送出し、前記添削例文検索手段が切出された入力文字列を基に前記添削例文格納手段に格納された添削例文を検索するようにしたことを特徴とする請求項３記載の文書添削支援方法。
【請求項５】
入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置においてコンピュータに前記作成文書の添削支援を行わせるための文書添削支援制御プログラムを記録した記録媒体であって、前記文書添削支援制御プログラムは前記コンピュータに、前記添削例文提示手段から提示される添削例文に応じた前記作成文章の訂正作業における訂正前後の文章を抽出しかつ当該訂正前後の文章を新規の添削例文として前記添削例文格納手段に蓄積させることを特徴とする文書添削支援制御プログラムを記録した記録媒体。
【請求項６】
前記文書添削支援制御プログラムは前記コンピュータに、前記作成文書の作成作業において予め設定された一定量の文章が入力された時点で入力文字列を切出して前記添削例文検索手段に逐次送出させ、切出された入力文字列を基に前記添削例文格納手段に格納された添削例文を前記添削例文検索手段に検索させることを特徴とする請求項５記載の文書添削支援制御プログラムを記録した記録媒体。
【発明の詳細な説明】
【０００１】
【発明の属する技術分野】
本発明は文書添削支援装置及びそれに用いる文書添削支援方法並びにその制御プログラムを記録した記録媒体に関し、特に作成文章の添削を予め用意された文例を用いて行う文書添削支援方法に関する。
【０００２】
【従来の技術】
従来、この種の文章添削支援方法においては、利用者が文章を作成した後、作成した文書を添削装置に入力することで文書の解析を行ったり、所定の正解文例と比較することで文書の添削を行い、その結果を利用者に提示することで文章添削を行っている。
【０００３】
例えば、特開平９−３２５６７５号公報に記載された添削指導方法及びその装置では、利用者が作成した文章と所定の正解文例とを比較し、単にその正解文例を利用者に示すだけではなく、正解文例と利用者の作成した文章との差異を抽出して利用者に提示することによって、利用者が作成した文章の誤りを把握しやすい文章添削となっている。
【０００４】
また、従来の文章添削支援装置では利用者が文章を作成した後、添削装置へ一括投入することによって添削を行う形式のものである。例えば、特開平９−３２５６７３号公報に記載された翻訳文添削支援装置では、予め模範解答の文例を専門家の知識を利用して単語・句構造の複数のテンプレートに分解し、利用者が作成するであろう誤りに対するメッセージが専門家の知識を利用して作成されている。
【０００５】
翻訳文添削支援装置では利用者が作成した文書を添削装置へ投入すると、その文章を解析し、模範解答のテンプレートを用いて評価することで、専門家が人手で行うのと同程度の添削を行うことを可能としている。
【０００６】
【発明が解決しようとする課題】
上述した従来の文章添削支援方法では、正解文例や専門家の知識を利用したメッセージを作成する人的コストが非常に大きいにも係わらず、添削例の再利用に対する考慮がなされていないため、過去の添削例が生かされていないという問題がある。
【０００７】
また、上記の文章添削支援方法では、添削装置への文書の投入が文書作成終了後に行われ、入力途中の文の添削に対して考慮がなされていないため、利用者が文章を作り終わらないと、添削ができないという問題がある。
【０００８】
そこで、本発明の目的は上記の問題点を解消し、過去の添削例文を蓄積してその添削例文を再利用することができる文書添削支援装置及びそれに用いる文書添削支援方法並びにその制御プログラムを記録した記録媒体を提供することにある。
【０００９】
本発明の他の目的は、作成中の文書に対して編集が行われている途中であってもその文書に対する添削支援を行うことができる文書添削支援装置及びそれに用いる文書添削支援方法並びにその制御プログラムを記録した記録媒体を提供することにある。
【００１０】
【課題を解決するための手段】
本発明による文書添削支援装置は、入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置であって、前記添削例文提示手段から提示される添削例文に応じた前記作成文章の訂正作業における訂正前後の文章を抽出しかつ当該訂正前後の文章を新規の添削例文として前記添削例文格納手段に蓄積する添削例文抽出・蓄積手段を備えている。
【００１２】
本発明による文書添削支援方法は、入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置の文書添削支援方法であって、前記添削例文提示手段から提示される添削例文に応じた前記作成文章の訂正作業における訂正前後の文章を抽出しかつ当該訂正前後の文章を新規の添削例文として前記添削例文格納手段に蓄積するようにしている。
【００１４】
本発明による文書添削支援制御プログラムを記録した記録媒体は、入力される作成文書を添削するために予め設定された添削例文を格納する添削例文格納手段と、前記作成文書を基に前記添削例文格納手段に格納された添削例文を検索する添削例文検索手段と、前記添削例文検索手段によって検索された添削例文を外部に提示する添削例文提示手段とを含む文書添削支援装置においてコンピュータに前記作成文書の添削支援を行わせるための文書添削支援制御プログラムを記録した記録媒体であって、前記文書添削支援制御プログラムは前記コンピュータに、前記添削例文提示手段から提示される添削例文に応じた前記作成文章の訂正作業における訂正前後の文章を抽出しかつ当該訂正前後の文章を新規の添削例文として前記添削例文格納手段に蓄積させている。
【００１６】
すなわち、本発明の文章添削支援装置は、添削例文の提示によって利用者が文章を訂正した際に、その訂正文を新規の添削例文として蓄積して再利用するよう構成している。
【００１７】
より具体的には、本発明の文章添削支援装置は、添削例文の提示後に利用者が作成した文章を訂正した際に、その訂正前後の文章を抽出し、新規の添削例文を作成して添削例文の格納部へ蓄積する添削例文抽出・蓄積手段を有している。
【００１８】
上記のように、添削例文の提示によって利用者が訂正した文章の訂正前後文章を自動的に抽出し、それを新規の添削例文として蓄積することで、過去の添削例文を蓄積してその添削例文が再利用可能となる。よって、収集が容易でない文書添削例文が自動的に蓄積することが可能となり、利用しているだけで添削例文が豊富になる。
【００１９】
また、他の文書添削支援装置は、利用者が添削機能を実行する以前の単なる文章作成時にも、その誤りを発見して添削文章の提示を行うリアルタイムの添削支援を行うよう構成している。
【００２０】
より具体的には、他の文書添削支援装置は、文書編集装置への利用者の入力を監視し、一定量以上の文章が入力された時点でその文字列を切出して添削例文の検索部へと渡す入力文字列抽出手段を有している。
【００２１】
上記のように、利用者の文書作成の入力を監視し、ある一定量の文章が入力された時点で入力文字列を自動的に切出し、リアルタイムで添削例文を検索して利用者に提示することで、利用者が文書を作成中であり、意図的に添削を指示していなくても、添削支援が可能となる。よって、利用者は今入力したばかりの文章の添削例文を受取ることが可能となり、誤りがあればすぐにそれを知ることが可能となる。
【００２２】
【発明の実施の形態】
次に、本発明の実施例について図面を参照して説明する。図１は本発明の一実施例による文書添削支援装置の構成を示すブロック図である。図において、本発明の一実施例による文書添削支援装置はキーボード等の入力装置１と、ワードプロセッサやエディタ等の文書編集装置２と、ディスプレイ装置等の出力装置３と、添削例文を蓄積する添削例文格納部４と、入力された文章を基に添削例文を検索する添削例文検索手段５と、添削例文を利用者に提示する添削例文提示手段６と、文書編集装置２における入力文と添削例文提示手段６において利用者に提示された添削例文とを基に利用者自身が訂正した文章を抽出して添削例文格納部４に新規の添削例文として蓄積する添削例文抽出・蓄積手段７と、制御メモリ１０とから構成されている。
【００２３】
添削例文検索手段５は文書編集装置２で作成された文章が完成した段階でその文章を受取り、添削例文を検索することで、文章の誤りを発見する。添削例文検索手段５は文章の誤りを発見すると、その元の文と添削例文とを添削例文提示手段６に送り、利用者に提示する。利用者は文書編集手段２でその文章を見ながらまたは切貼り等の作業を行って訂正し、文章を完成させる。
【００２４】
この訂正作業が行われた際に、添削例文抽出・蓄積手段７では元の誤りを含んだ文、添削例文提示手段６で提示された添削例文、訂正された文の３種類の文を文書編集装置２から抽出し、添削例文格納部４に格納可能な文格納形式へ変換して添削例文格納部４に蓄積する。
【００２５】
制御メモリ１０には文書編集装置２と添削例文検索手段５と添削例文提示手段６と添削例文抽出・蓄積手段７とが夫々実行するプログラムが格納されており、ＲＯＭ（リードオンリメモリ）やフロッピディスク等が使用可能である。
【００２６】
図２は図１の添削例文抽出・蓄積手段７における新規の添削例文抽出アルゴリズムの一手法を示すフローチャートである。これら図１及び図２を参照して参照して本実施の一実施例による文書添削支援装置の処理動作について説明する。尚、図２に示す処理動作は添削例文抽出・蓄積手段７が制御メモリ１０に格納されたプログラムを実行することで実現される。
【００２７】
利用者は文書編集装置２を用い、入力装置１及び出力装置３を通して文章作成を行うが、その作成した文章が完成すると、利用者の入力した文章が利用者の指示によって添削例文検索手段５に送られる。添削例文検索手段５では入力された文章を基に、添削例文格納部４に保存されている添削例文を検索する。
【００２８】
この添削例文の検索の手法としては、単なる単語の一致による検索を行う手法や、文章の構文解析により誤りを探してその添削の例文を構文の細部毎に検索する手法がある。後者の手法については特開平９−３２５６７３号公報に記載されている。
【００２９】
添削例文検索手段５で検索された添削例文は添削例文提示手段６に送られ、利用者に提示される。この添削例文提示手段６における添削例文の提示方法としては誤った文とその添削例文を並べて提示する方法や、誤った文章と正解文章の差異を抽出して示す方法等がある。後者の方法については、特開平９−３２５６７５号公報に記載されている。
【００３０】
添削例文提示手段６を通して利用者に添削例文を提示した後、利用者がその提示された添削文例を利用して作成文書を訂正すると、添削例文抽出・蓄積手段７は添削例文提示手段６で提示された訂正前の利用者の入力文章と、その添削例文及び文書編集手段２での訂正後の文章とを文書編集手段２から受取り、それらを比較することで新たな添削例文を抽出し、その新規添削例文を添削例文格納部４へと格納する。
【００３１】
添削例文抽出・蓄積手段７では文書編集手段２に対する利用者の入力作業を監視し続けており、添削例文提示手段７によって提示された添削の基となった利用者の訂正前の文章と、提示された添削例文と、その添削例文を提示された後に利用者によって訂正された文章とを抽出する（図２ステップＳ１）。
【００３２】
その後、添削例文抽出・蓄積手段７は訂正作業によって文章が具体的に変わったかどうかをチェックし（図２ステップＳ２）、訂正前後の文章が既に添削例文格納部４に格納されている例文と全く同じでなければ（図２ステップＳ３，Ｓ４）、その訂正前後の文章を新規の添削例文として添削例文格納部４に登録する（図２ステップＳ６，Ｓ７）。
【００３３】
この手順によって、提示された添削例文を利用者が見て訂正した文が既に添削例文格納部４に格納されている添削例文と異なっていた場合、その訂正を新規の添削例文として蓄積し、この添削支援装置を次回利用する際に、過去の自身による文章の訂正をも添削例文として再利用することが可能となる。
【００３４】
次に、本発明の一実施例による文章添削支援装置の処理動作について具体例を挙げて説明する。今、添削例文格納部４に添削例文（１）「Ｐｒｏｇｒａｍ  ｈａｄ  ｎｅｗ  ｉｎｆｏｒｍａｔｉｏｎｓ．→Ｐｒｏｇｒａｍ  ｈａｄ  ｎｅｗｉｎｆｏｒｍａｔｉｏｎ．」という文の添削例が保存されていたとする。
【００３５】
利用者が文書編集装置２で、入力文（１）「Ｓｙｓｔｅｍ  ｈａｎｄｌｅｓｔｈｅｓｅ  ｉｎｆｏｍａｔｉｏｎｓ  ａｎｄ  ｄａｔａｓ．」という文を文章中に書き、添削例文検索手段５を呼出したとする。
【００３６】
添削例文検索手段５は入力文（１）の「ｉｎｆｏｒｍａｔｉｏｎｓ」という単語と添削例文（１）の中の「ｉｎｆｏｒｍａｔｉｏｎｓ」という単語との一致で上記例文を検索し、添削例文（１）を添削例文提示手段６で利用者へ提示する。利用者はこれを見て、「ｉｎｆｏｒｍａｔｉｏｎ」という単語は複数形でも同じ形である（複数形を取らない）と気がつき、自らの文章の「ｉｎｆｏｒｍａｔｉｏｎｓ」を「ｉｎｆｏｒｍａｔｉｏｎ」に訂正する。
【００３７】
このとき同時に、「ｄａｔａｓ」という単語についても複数形を取らないことを思い出し、「ｄａｔａｓ」という単語を「ｄａｔａ」に直し、訂正文（１）「Ｓｙｓｔｅｍ  ｈａｎｄｌｅｓ  ｔｈｅｓｅ  ｉｎｆｏｒｍａｔｉｏｎ  ａｎｄｄａｔａ．」という文章を完成させる。
【００３８】
利用者が文章を完成させた時点で、添削例文抽出・蓄積手段７は添削例文（１）、入力文（１）、訂正文（１）を受取る（図２ステップＳ１）。添削例文蓄積・抽出手段７ではこの訂正文（１）が添削例文提示後に訂正された文であること（図２ステップＳ２）、訂正文（１）が添削例文（１）の訂正後文章と異なること（図２ステップＳ３）を判断し、入力文（１）及び訂正文（１）を登録することを決定し（図２ステップＳ７）、添削例文（２）「Ｓｙｓｔｅｍ  ｈａｎｄｌｅｓ  ｔｈｅｓｅｉｎｆｏｒｍａｔｉｏｎｓ  ａｎｄ  ｄａｔａｓ．→Ｓｙｓｔｅｍ  ｈａｎｄｌｅｓ  ｔｈｅｓｅ  ｉｎｆｏｒｍａｔｉｏｎ  ａｎｄ  ｄａｔａ．」という添削例文を添削例文格納部４に保存する。
【００３９】
この添削例文が格納されることで、文章添削支援装置を次回利用する場合に、「ｉｎｆｏｍａｔｉｏｎｓ」という誤りを含む文章を作成した時のみならず、「ｄａｔａｓ」という誤りを含む文章を作成した際にも添削例文（２）が検索され、添削支援を行うことが可能となる。
【００４０】
図３は本発明の他の実施例による文章添削支援装置の構成を示すブロック図である。図において、本発明の他の実施例による文章添削支援装置は入力文字列抽出手段８と制御メモリ１１とを設けた以外は図１に示す本発明の一実施例による文章添削支援装置と同様の構成となっており、同一構成要素には同一符号を付してある。また、同一構成要素の動作は本発明の一実施例による文書添削支援装置と同様である。
【００４１】
入力文字列抽出手段８は文書編集装置２への利用者の入力文字列を監視し、入力文字列が添削例文を検索可能な長さに達すれば、利用者の指示なくして入力された文字列を切出して添削例文検索手段５に送り、添削例文の検索を行う。
【００４２】
制御メモリ１１には文書編集装置２と添削例文検索手段５と添削例文提示手段６と添削例文抽出・蓄積手段７と入力文字列抽出手段８とが夫々実行するプログラムが格納されており、ＲＯＭ（リードオンリメモリ）やフロッピディスク等が使用可能である。
【００４３】
図４は図３の入力文字列抽出手段８の処理動作を示すフローチャートである。これら図３及び図４を参照して参照して本実施の他の実施例による文書添削支援装置の処理動作について説明する。尚、図４に示す処理動作は入力文字列抽出手段８が制御メモリ１１に格納されたプログラムを実行することで実現される。
【００４４】
入力文字列抽出手段８は利用者による文書編集装置２への文字列の入力を監視し（図４ステップＳ１１）、ある一定量以上の長さの文章が入力された時点で（図４ステップＳ１２）、その入力された文字列を切出し添削例文検索手段５へと送る（図４ステップＳ１３）。この入力文字列抽出手段８による切出し処理は文書編集装置２への文字列入力が終了するまで行われる（図４ステップＳ１１〜Ｓ１４）。
【００４５】
この一定量以上の長さは処理装置を実装するコンピュータの処理速度等に応じて決定すれば良いが、少なくとも自立語（名詞や動詞等の、その単語１つで意味を担っている単語）が新たに１つ以上入力された時点での抽出が望ましい。また、処理速度が遅い場合には自立語２〜３語や、句、文が入力された時点でという切出し方法もある。
【００４６】
さらに、文字列を切出す際には新規に入力された単語１語だけを切出しても有効な添削例文を検索することが困難であるため、新規入力された単語から遡って一定の長さ以上の文を切出す。この遡る長さも処理速度に応じて、自立語数語や、句、文といった単位が考えられる。
【００４７】
添削例文検索手段５における添削例文の検索方法は本発明の一実施例の処理動作と同様であるが、入力文字列抽出手段８における単語切出し方法として、前後の切出し時の切出し文字列と比較して文字列に重なる部分がある切出し方法を採用する場合、添削例文提示手段６において検索した結果の提示方法としては切出し文字列の同一部分に対する検索結果が冗長にならないように、後の検索結果で前の検索結果を上書きする形で提示する等の手法を取る必要がある。
【００４８】
このような手順で文字列を切出し、添削例文を検索し、検索した添削例文を冗長にならないように提示することで、利用者が意図的に添削を開始しなくても、文章をどんどん作成している段階で、誤りがあればその誤りを次々と利用者に提示して気づかせることが可能となる。
【００４９】
次に、本発明の他の実施例による文章添削支援装置の処理動作について具体例を挙げて説明する。今、上記の添削例文（１）及び（２）が添削例文格納部４に保存されているものとする。
【００５０】
利用者が新たな文章として「Ｓｙｓｔｅｍ  ｃｈａｎｇｅｓ  ｉｎｐｕｔ  ｄａｔａｓ  ｔｏ  ｕｓｅｒ’ｓ  ｉｎｆｏｒｍａｔｉｏｎｓ．」という文章を入力しようとして、入力文（２）の「Ｓｙｓｔｅｍ  ｃｈａｎｇｅｓ  ｉｎｐｕｔｄａｔａｓ」まで、文書編集装置２に入力したとする。
【００５１】
すると、入力文字列抽出手段８は文書編集装置２への入力文字列から入力文（２）を自動的に切出し、添削例文検索手段５へと送る。添削例文検索手段５では入力文（２）の「ｄａｔａｓ」という単語の一致で添削例文（２）を検索し、添削例文提示手段６で添削例文（２）が提示される。
【００５２】
この提示までが、利用者の意図的な添削の要求行為を必要とせずに自動的に行われるため、利用者は入力しようとしていた文章を最後まで入力することなく、提示された例文から「ｄａｔａｓ」という表現は誤っていることに気がつくことが可能である。
【００５３】
また、提示された例文を見て、まだ打ち込んでいない「ｉｎｆｏｒｍａｔｉｏｎｓ」という表現も誤っていることに気がつき、誤った単語を入力せず、最初から正しく「ｉｎｆｏｒｍａｔｉｏｎ」と入力することまでも可能となる。
【００５４】
もし、利用者が添削例文（２）から「ｄａｔａｓ」という誤りにしか気がつかず、「ｉｎｆｏｒｍａｔｉｏｎｓ」という誤りを見落として「ｔｏ  ｕｓｅｒ  ’ｓ  ｉｎｆｏｒｍａｔｉｏｎｓ．」と最後まで入力した場合には、その時点で添削例文（１）及び（２）が利用者に対して提示されることになる。
【００５５】
このように、添削例文の提示によって利用者が訂正した文章の訂正前後の文章を自動的に抽出し、それを新規の添削例文として蓄積することによって、過去の添削例文を蓄積し、その添削例文を再利用することができる。よって、収集が容易でない文書添削例文を自動的に蓄積することができ、利用しているだけで添削例文を豊富にすることができる。
【００５６】
また、利用者の文書作成の入力を監視しておき、ある一定量の文章が入力された時点で、入力文字列を自動的に切出し、リアルタイムで添削例文を検索・利用者に提示することによって、利用者が文書を作成中であり、意図的に添削を指示していなくても、添削支援を行うことができる。よって、利用者は今入力したばかりの文書の添削例文を受取ることができ、誤りがあればすぐにそれを知ることができる。
【００５７】
【発明の効果】
以上説明したように本発明の文書添削支援装置によれば、入力される作成文書を添削するために予め設定された添削例文を格納する添削例文格納手段と、作成文書を基に添削例文格納手段に格納された添削例文を検索する添削例文検索手段と、添削例文検索手段によって検索された添削例文を外部に提示する添削例文提示手段とを含む文書添削支援装置において、添削例文提示手段から提示される添削例文に応じた作成文章の訂正作業から新規の添削例文を抽出して当該新規の添削例文を添削例文格納手段に蓄積することによって、過去の添削例文を蓄積してその添削例文を再利用することができるという効果がある。
【００５８】
また、本発明の他の文書添削支援装置によれば、入力される作成文書を添削するために予め設定された添削例文を格納する添削例文格納手段と、作成文書を基に添削例文格納手段に格納された添削例文を検索する添削例文検索手段と、添削例文検索手段によって検索された添削例文を外部に提示する添削例文提示手段とを含む文書添削支援装置において、作成文書の作成作業から入力文字列を切出して添削例文検索手段に逐次送出し、添削例文検索手段が切出された入力文字列を基に添削例文格納手段に格納された添削例文を検索することによって、作成中の文書に対して編集が行われている途中であってもその文書に対する添削支援を行うことができるという効果がある。
【図面の簡単な説明】
【図１】本発明の一実施例による文書添削支援装置の構成を示すブロック図である。
【図２】図１の添削例文抽出・蓄積手段における新規の添削例文抽出アルゴリズムの一手法を示すフローチャートである。
【図３】本発明の他の実施例による文章添削支援装置の構成を示すブロック図である。
【図４】図３の入力文字列抽出手段の処理動作を示すフローチャートである。
【符号の説明】
１  入力装置
２  文書編集装置
３  出力装置
４  添削例文格納部
５  添削例文検索手段
６  添削例文提示手段
７  添削例文抽出・蓄積手段
８  入力文字列抽出手段
１０，１１  制御メモリ
【図１】
0003555464.tif 000002
【図２】
0003555464.tif 000003
【図３】
0003555464.tif 000004
【図４】
0003555464.tif 000005